(57)【特許請求の範囲】
【請求項１】
データ供給源から供給されたデータを所定のテープフォーマットに変換して記録再生手段によりテープに記録し、上記テープフォーマットに基づいて上記記録再生手段により上記テープに記録されたデータを再生して上記テープに記録された画像を検索する磁気記録再生装置において、
再生時において、
上記テープの先頭部分に設けられたヘッダー領域に記録された検索データとしての画像データと上記テープの位置情報の表示を行う表示手段と、
上記表示手段に表示された上記画像データを基にして上記テープの再生希望位置を指定する指定手段とを備え、
上記表示手段の上記テープの位置情報が上記再生希望位置の近くを表示したときに、画像データを倍速再生し、動画像として上記表示手段に表示するようにしたことを特徴とする磁気記録再生装置。
【請求項２】
請求項１記載の磁気記録再生装置において、
上記検索データとしての上記画像データと上記画像データに対応するテープ位置情報とを記憶する検索データ記憶手段を備え、
上記テープが装着されたときに、テープ先頭へ巻き戻しを行い、上記記録再生手段により上記テープの先頭部分に設けられたヘッダー領域を再生し、
上記ヘッダー領域に記録された上記検索データを上記検索データ記憶手段に記憶し、
上記検索データ記憶手段に記憶された上記検索データを上記表示手段に表示するようにしたことを特徴とする磁気記録再生装置。
【請求項３】
請求項１記載の磁気記録再生装置において、
上記表示手段の上記テープの位置情報が上記再生希望位置から離れた位置を表示したときに、上記テープを早送りし、上記検索用データとしての画像データを上記表示手段に逐次表示するようにしたことを特徴とする磁気記録再生装置。
【発明の詳細な説明】
【０００１】
【産業上の利用分野】
この発明は、例えば、記録した画像を検索する画像検索に用いる磁気記録再生装置に関する。
【０００２】
【従来の技術】
従来、ＶＴＲにおいて、１本のテープにどのような画像が記録されているかを検索する画像検索を行っている。この場合、記録中にメモを残すか、または使用者がデータベースのような外部記憶装置に手動で入力するという手段を取らない限りは、テープ早送り中の再生画像を見ながら確認する高速ピクチャーサーチを行うしか方法はなかった。
【０００３】
これは、家庭用のアナログＶＴＲ、業務用のアナログおよびディジタルＶＴＲのすべてに当てはまることである。以下、主として、業務用のディジタルＶＴＲに関して説明する。また、既にほとんどのＶＴＲはカセットテープを用いているが、ディスク媒体と区別するための総称としてテープという言葉を用いる。
【０００４】
図９に、従来の磁気記録再生装置としてのディジタルＶＴＲの構成を示すブロック図を示す。図９において、記録時には、Ａ／Ｄ変換器９０に供給されたアナログ入力画像信号は、ディジタル画像データに変換される。ディジタル画像データは記録符号化器９１に供給され、エラー訂正符号の付加やシャフリングなどの必要な信号処理が行われる。信号処理をされた記録データは、記録再生部９９の記録系回路９２に供給され、高周波増幅されて記録ヘッド９３によりテープ９４に記録される。
【０００５】
再生時には、記録済みのテープ９４から再生ヘッドにより再生され、再生系回路９６により復調された再生データは、再生復号器９７に供給される。再生復号器９７において、再生データはディシャフリングやエラー訂正などの必要な信号処理が行われ、元の画像データに戻される。この画像データはＤ／Ａ変換器９８に供給され、アナログ出力画像信号に変換され、出力される。なお、ディジタルＶＴＲ全体の電気的および機械的な制御は、図示されていないシステムコントローラによって行われる。
【０００６】
このような画像データをそのまま記録するディジタルＶＴＲの場合、画像を検索するための高速ピクチャーサーチでは、取り出せたデータを基にして、ディスプレイ上の該当する位置の画素を更新していくことで、不完全ながらも判別可能な画像を表示することが可能であった。
【０００７】
また、最近になって、高能率符号化技術による画像圧縮技術が著しく進歩し、それほど画質を劣化させることなく、１／１０以下までデータレートを落として記録することが可能になってきた。画像圧縮して記録するディジタルＶＴＲの構成は図９に示したものと同じであり、図９において、記録符号化器９１に画像を圧縮する機能が付加され、再生復号器９７において画像圧縮を伸長する機能が付加される点のみ相違する。
【０００８】
しかし、このような、画像圧縮を用いたディジタルＶＴＲの場合、高速ピクチャーサーチによって取り出せるデータの多くは、それ自体で独立した画素に相当するものではなく、周辺の画素のデータと組み合わせることによって意味を持つようなデータになっている。従って、圧縮の方式やテープ上のデータ配列を工夫しないと、高速ピクチャーサーチによって判別可能な画素を表示することが困難になる。
【０００９】
このようなこれまでのディジタルＶＴＲでは、画像表示を伴う高速ピクチャーサーチが不可欠な機能とされてきたために、これを実現するためにテープフォーマットや圧縮の方式または圧縮率に制約が加わり、必要十分なデータレートまで圧縮することが許されなかったり、また、テープの有効利用も困難になっていた。
【００１０】
一方、現場において、番組製作に用いられているディジタルＶＴＲで、もっとも不便な点は、必要な画素が記録されているテープ位置まで早送りするのに時間がかかりすぎるという点である。この欠点を克服するために、最近の傾向として、ランダムアクセスによる操作性の良さを特長とする、ハードディスクや、光磁気ディスクを記録媒体としたワークステーションによる画像編集機の開発が進んでいる。
【００１１】
このワークステーションによる画像記録装置の構成を示すブロック図を図１０に示す。図１０において、必要な画像データは、数本の記録済みのテープ１００をソースとして、ディジタルＶＴＲ１０１を介してハードディスクドライブ回路１０２のハードディスクに蓄積される。ハードディスクに替えて光磁気ディスクを用いても良い。これに伴い、画像データやインデックスなどの必要最小限のデータがワークステーション１０６内の半導体メモリ１０３に蓄積される。
【００１２】
これを用いて番組編集を行う場合、編集者は、この半導体メモリ１０３のデータをワークステーション１０６のディスプレイ１０５に表示し、これを基にして編集手順を決定していく。この編集手順に従って、ハードディスクドライブ回路１０２のハードディスクから画像データが読み出され、ディスプレイ１０５に表示される。
【００１３】
このような作業を繰り返すことによって、効率的に編集作業を行うことができる。このワークステーションによる画像記録装置は、編集に限らず、ニュースやコマーシャルなど、比較的短い時間の番組としてのプログラムの送出には、ランダムアクセスという特長を生かすことができる。
【００１４】
ただし、完成された番組の保存には、当分の間、ディジタルＶＴＲが用いられると考えられている。その理由は、現在までのところ、情報当たりの媒体単価を考えると、磁気テープよりも安い記録媒体は存在しないからである。従って、図１０に示したように、編集の結果は、再び、ディジタルＶＴＲを介して別のテープに記録されて保管されることになる。
【００１５】
ところで、ヘリカルスキャンのＶＴＲでは、数１００Ｍｂｐｓのデータレートでの記録再生を実現することができるのに対して、ハードディスクや光磁気ディスクでは、少なくとも現段階では、数１０Ｍｂｐｓのデータレートでの記録再生しか実現することができない。従って、現行のＮＴＳＣ方式の画像を取り扱うことを前提としても、４：２：２のＤ−１フォーマットのディジタルＶＴＲで２００Ｍｂｐｓ、サンプリング周波数４ｆｓｃ（１４．３１８１８ＭＨｚ）のＤ−２またはＤ−３フォーマットのディジタルＶＴＲで１００Ｍｂｐｓのデータレートでの記録再生を実現することができない。
【００１６】
このため、画像圧縮技術は不可欠であり、画質的に許容できる範囲で圧縮された画像データを扱うことになる。しかしながら、圧縮した画像データを用いて編集した結果を従来の高データレートのディジタルＶＴＲに記録して保存しても、画質はディジタルＶＴＲのデータレート本来のものが得られるわけではなく、編集の際に行われた圧縮による劣化は残ってしまう。
【００１７】
従って、ワークステーションによる編集機の存在を前提として、保存を目的としたディジタルＶＴＲを考えた場合、これまでのように高いデータレートで記録再生する必要はないと考えられる。逆に、現在の技術で実現できるディジタルＶＴＲのデータレートがハードディスクや光磁気ディスクのデータレートに比べて数倍以上であることを考えれば、ハードディスクや光磁気ディスクと同等なデータレートの画像データを並列記録して、１本のテープの記録再生時間を格段に長くしたディジタルＶＴＲの方が望ましいと考えられる。
【００１８】
このように高い圧縮率で符号化した画像データを記録したディジタルＶＴＲにおいて、画像の検索のための高速ピクチャーサーチ機能は、最初に述べたように、圧縮の方式や再生系の信号処理回路にとって大きな負担になることは明かである。また、ディジタルＶＴＲの能力を最大限に生かして並列記録した場合、テープ上のデータの配置やＶＴＲの特殊再生機能によほど特別な工夫をしなければ、判別可能な画像を高速ピクチャーサーチによって表示することは極めて困難であると考えられる。
【００１９】
【発明が解決しようとする課題】
このように、従来の磁気記録再生装置においては、高い圧縮率で符号化した画像データを記録したディジタルＶＴＲにおいて、画像の検索のための高速ピクチャーサーチは、圧縮の方式や再生系の信号処理回路にとって大きな負担になるという不都合があった。また、ディジタルＶＴＲで並列記録した場合、判別可能な画像を高速ピクチャーサーチによって表示することは極めて困難であるという不都合があった。
【００２０】
この発明は、かかる点に鑑みてなされたものであり、圧縮した画像データを記録するディジタルＶＴＲにおいて、高速ピクチャーサーチによって画像を表示することなく画像を検索し、必要なテープ位置まで迅速にテープを送って、容易に再生画像を得ることができる磁気記録再生装置の提供を目的とする。
【００２１】
【課題を解決するための手段】
【００２７】
また、この発明の磁気記録再生装置は、図１乃至図８に示す如く、データ供給源から供給されたデータを所定のテープフォーマットに変換して記録再生手段５によりテープに記録し、テープフォーマットに基づいて記録再生手段５によりテープに記録されたデータを再生してテープに記録された画像を検索する磁気記録再生装置において、再生時において、テープの先頭部分に設けられたヘッダー領域２４に記録された検索データとしての画像データとテープの位置情報１７７の表示を行う表示手段１７０と、表示手段１７０に表示された画像データを基にしてテープの再生希望位置を指定する指定手段１８９とを備え、表示手段１７０のテープの位置情報１７７が再生希望位置の近くを表示したときに、検索データとしての画像データを倍速再生し、動画像として表示手段１７０に表示するようにしたものである。
【００２８】
また、この発明の磁気記録再生装置は、図１乃至図８に示す如く、上述において、検索データとしての画像データ８２、８４と画像データ８２、８４に対応するテープ位置情報８６とを記憶する検索データ記憶手段９を備え、テープが装着されたときに、テープ先頭へ巻き戻しを行い、記録再生手段５によりテープの先頭部分に設けられたヘッダー領域２４を再生し、ヘッダー領域２４に記録された検索データを検索データ記憶手段９に記憶し、検索データ記憶手段９に記憶された検索データを表示手段１７０に表示するようにしたものである。
【００２９】
また、この発明の磁気記録再生装置は、図１乃至図８に示す如く、上述において、表示手段１７０のテープの位置情報１７７が再生希望位置から離れた位置を表示したときに、テープを早送りし、検索用データとしての画像データを表示手段１７０に逐次表示するようにしたものである。
【００３０】
【作用】
【００３６】
また、この発明によれば、再生時において、テープの先頭部分に設けられたヘッダー領域２４に記録された検索データとしての画像データとテープの位置情報１７７の表示を行う表示手段１７０と、表示手段１７０に表示された画像データを基にしてテープの再生希望位置を指定する指定手段１８９とを備え、表示手段１７０のテープの位置情報１７７が再生希望位置の近くを表示したときに、検索データとしての画像データを倍速再生し、動画像として表示手段１７０に表示するようにしたので、鮮明な動画像により、容易に画像データを復元することができ、高速ピクチャーサーチを必要とせず、迅速かつ容易に必要な画像を頭出しして再生することができる。
【００３７】
また、この発明によれば、上述において、検索データとしての画像データと画像データに対応するテープ位置情報とを記憶する検索データ記憶手段９を備え、テープが装着されたときに、テープ先頭へ巻き戻しを行い、記録再生手段５によりテープの先頭部分に設けられたヘッダー領域２４を再生し、ヘッダー領域２４に記録された検索データを検索データ記憶手段に記憶し、検索データ記憶手段に記憶された検索データを表示手段１７０に表示するようにしたので、表示手段１７０に表示された検索データに含まれる画像データを基にして画像の検索を行うことで、部分的に再生された信号を基にした高速ピクチャーサーチを行うことなく、求める画像の頭出しを行うことができる。
【００３８】
また、この発明によれば、上述において、表示手段１７０のテープの位置情報１７７が再生希望位置から離れた位置を表示したときに、テープを早送りし、検索用データとしての画像データを表示手段１７０に逐次表示するようにしたので、表示手段１７０に表示された検索データに含まれる画像データを基にして、再生希望位置に近づくように、画像の検索を行うことで、部分的に再生された信号を基にした高速ピクチャーサーチを行うことなく、求める画像の頭出しを行うことができる。
【００３９】
【実施例】
図１は、この発明による磁気記録再生装置の一実施例の概略構成を示すブロック図である。この発明の磁気記録再生装置は、この例においては、特に、画像検索に必要なテープ位置情報や画像情報を抽出して、内部の半導体メモリ９に蓄積する機能を有する検索用データ抽出器３を設けた点を特徴とする。
【００４０】
図１に示すように、記録時には、Ａ／Ｄ変換器１に供給されたアナログの入力画像信号はディジタルの画像データに変換される。画像データは記録符号化器２に供給され、必要に応じて画像圧縮された後に、エラー訂正符号の付加やシャフリングなどの必要な信号処理が行われる。記録符号化器２で信号処理をされた記録データは、スイッチ４を介して、記録再生部５に供給され、図示しないテープに記録されれる。
【００４１】
再生時には、記録再生部５の図示しない記録済みテープから再生されてきた再生データは、再生復号器６に供給される。再生復号器６でディシャフリングやエラー訂正などの必要な信号処理および必要に応じて圧縮画像の伸長を行う。再生復号器６で信号処理をされた画像データはＤ／Ａ変換器７に供給され、アナログの出力画像信号に変換される。アナログの出力画像信号はディスプレイ８に表示される。図１において、磁気記録再生装置全体の電気的および機械的な制御は図示されていないシステムコントローラによって行われる。
【００４２】
ここまでは、図９に示した従来の磁気記録再生装置に対応するが、異なる点は、記録符号化器２に並列に検索用データ抽出器３およびこれに内蔵する半導体メモリ９を設け、スイッチ４により記録符号化器２とを切り替えるようにした点である。検索用データ抽出器３は、画像検索に必要なテープ位置情報や画像情報を抽出して、内部の半導体メモリ９に蓄積する機能を有する。
【００４３】
図２は、この発明による磁気記録再生装置の一実施例のテープフォーマットを示す図である。テープ先頭部分２０には、ヘッダー領域２４が予め確保される。このヘッダー領域２４はテープ全体の記録再生時間からすれば無視することができる程度に小さく、フォーマッティングに必要な時間は、例えば、１分以内であることが望ましい。
【００４４】
また、予め、フォーマッティングだけを先に行っておくという方法も有効である。ヘッダー領域２４の最初のテープ識別データ領域２１には、このテープをフォーマッティングしたＶＴＲの製造番号と何本目にフォーマッティングしたテープであるかを示す番号が記録される。次の検索用データ記録領域２２、２３には、画像を記録中に抽出されたテープ位置情報や画像情報を記録する。最後の画像記録領域２７には、通常のＶＴＲと同様な画像データが記録される。ヘッダー領域２４には、記録済み検索用データ記録領域２２と未記録検索用データ記録領域２３とがある。また、画像記録領域２７には記録済み画像記録領域２５と未記録画像記録領域２６とがテープ後端部分２８まである。
【００４５】
図３は、この発明による磁気記録再生装置の一実施例の記録系の詳細な構成を示すブロック図である。図３において、アナログ／ディジタルビデオ信号入力部３０に供給されたアナログまたはディジタルビデオ信号はパラレルビデオデータに変換される。パラレルビデオデータはＤＣＴブロッキング回路３１に供給され、所定のＤＣＴブロッキングが行われた後に、フィールド内シャフリング回路３２に供給される。フィールド内シャフリング回路３２では、フィールド内でパラレルビデオデータを再配列する。これは、フィールド単位の編集、可変速再生を可能にするため、時間軸方向の冗長度を用いず、圧縮のプロセスが１フィールド内で完結するようにするためである。
【００４６】
フィールド内シャフリング回路３２で再配列されたパラレルビデオデータは、ビットレートリダクション部７１に供給される。ビットレートリダクション部７１に供給されたパラレルビデオデータは、ＤＣＴ変換器３３で時間軸成分を周波数成分に変換され、量子化器３４で量子化され、可変長符号エンコーダ３５で可変長符号化を行う。ビットレートリダクション部７１においては、ＤＣＴを採用し、可変長符号と組み合わせて、効率的にビットレートを低減すると共に量子化をコントロールし、データ量を２分の１に抑えるようにしている。量子化コントールとは、量子化において可変長符号化後にデータ量が一定になるような固定長化を行うことである。
【００４７】
ビットレートリダクション部７１から供給されてきたビデオデータは、ビデオ信号用外符号ＥＣＣエンコーダ３６でアウターエラーコレクションコードを付加され、トラックインターリーブされる。
【００４８】
また、フィールド内シャフリング回路３２で再配列されたパラレルビデオデータから検索用データ抽出器３で抽出されたサーチデータは、内蔵される半導体メモリ９に記憶されると共に、ビットレートリダクション回路３８で必要十分なデータレートに圧縮され、ビデオ信号用外符号ＥＣＣエンコーダ３９でアウターエラーコレクションコードを付加され、トラックインターリーブされる。
【００４９】
アナログ／ディジタルオーディオ信号入力部４０に供給されたアナログまたはディジタルオーディオ信号はシリアルオーディオデータに変換される。シルアルオーディオデータは、シャフリング回路４１でシャフリングされた後に、オーディオ信号用外符号ＥＣＣエンコーダ４２でアウターエラーコレクションコードを付加され、フィールド内シャフリング回路４３でフィールドシャフリングされる。
【００５０】
ここで、ビデオデータとオーディオデータは、ビデオ／オーディオ／サーチデータマルチプレクス回路４４に供給され、マルチプレクスされる。マルチプレクスされたデータは、ＩＤ付加回路４５でＩＤデータを付加され、スクランブル回路４６でスクランブルをかけられた後に、内符号ＥＣＣエンコーダ４７に供給され、インナーＥＣＣエンコーディングされ、同期信号付加回路４８に供給され、シンクデータが付加される。
【００５１】
シンクデータを付加された記録データは、パーシャルレスポンスクラス４エンコーダ４９に供給され、チャンネルコーディングされる。ここでは、パーシャルレスポンスクラス４によるチャンネルコーディングを行っている。これにより、低域、高域の成分を抑え、中域のエネルギーを多く使うようにしている。このようにチャンネルコーディングされた記録データは記録ヘッド５０によりテープ５１に記録される。
【００５２】
図４は、この発明による磁気記録再生装置の一実施例の再生系の詳細な構成を示すブロック図である。再生系では記録系と逆の流れで処理が行われる。図４において、テープ５１に記録された記録データを再生ヘッドにより再生し、再生データをビダビデコーダ５３に供給して復号化する。ビダビデコード方式を用いることで、Ｃ／Ｎ、ひいてはエラーレートの向上を図るようにしている。ビダビデコード方式とは、過去のデータを基に現在のデータの値が０なのか１なのかを判断する方法であり、ただ単に０／１を判断する方法に比べて０／１判断を誤る可能性が格段に少なくなる。
【００５３】
ビダビデコーダ５３でデコードされた再生データは、同期信号検出回路５４に供給され、シンクデータが検出される。シンクデータが検出された再生データは内符号エラーデコーダ５５に供給され、インナーＥＣＣコーディングに基づいてインナーのエラー訂正がされる。インナーＥＣＣデコーディングされた再生データはＩＤ検出回路５６に供給され、ＩＤデータが検出される。ＩＤデータが検出された再生データはディスクランブル回路５７でディスクランブルされて、ビデオ／オーディオ／データディマルチプレクス回路５８に供給され、ディマルチプレクスされる。
【００５４】
ディマルチプレクスされたビデオデータは、ビデオ信号用外符号エラーデコーダ６４に供給され、アウターＥＣＣコーディングに基づいてアウターのエラー訂正がされる。アウターのエラー訂正がされたビデオデータは、逆ビットレートリダクション部７２の可変長符号デコーダ６５に供給され、可変長符号デコードされ、逆量子化器６６に供給され、逆量子化され、逆ＤＣＴ変換器６７に供給され、逆ＤＣＴ変換される。逆ビットレートリダクション部７２の処理を経た再生データは、フィールド内ディシャフリング回路６８に供給され、フィールドディシャフリングされる。
【００５５】
フィールドディシャフリングされた再生データは、エラーコンシールメント回路６９に供給され、エラー訂正でも直せなかったエラーを外に出さないようにする。テープ、ヘッド系のエラーは通常エラーデコーダで訂正可能であるが、状態が悪化して訂正できなかった場合は、効果的なコンシールメントを必要とする。この場合、ヘッドクロッグのような最悪の場合でもつまずきがないことが望ましい。エラーコンシールメントされた再生データは、アナログ／ディジタルビデオ信号出力部７０に供給され、ディスプレイ８に表示される。
【００５６】
また、ディマルチプレクスされたオーディオデータは、フィールド内ディシャフリング回路５９に供給され、フィールドディシャフリングされる。フィールドディシャフリングされたオーディオデータはオーディオ信号用外符号エラーデコーダ６０に供給され、アウターＥＣＣコーディングに基づいてアウターのエラー訂正がされる。アウターのエラー訂正がされた再生オーディオデータはディシャフリング回路６１に供給され、ディシャフリングされる。ディシャフリングされた再生オーディオデータはエラーコンシールメント回路６２に供給され、インナーおよびアウターで訂正できなかったオーディオデータのエラーはエラーコンシールメントされる。エラーコンシールメントされた再生オーディオデータは、アナログ／ディジタルオーディオ信号出力部６３に供給される。
【００５７】
図５は、この発明による磁気記録再生装置の一実施例のヘリカルトラックを示す図である。ここでは、６本のトラックにより１フィールド分のビデオデータとオーディオデータが記録される。図５において、トラック７３〜７８が斜めに記録される。これらトラック７３〜７８には、ビデオセクタ７９、オーディオセクタ８０、ビデオセクタ８１が設けられている。ビデオセクタ７９には検索用画像データ（ビデオ）８２が記録され、ビデオセクタ８１には検索用画像データ（ビデオ）８４が記録される。不要になったオーディオセクタ８０には、例えば、テープＩＤ８５、テープ位置８６、フレーム情報８７、プログラム名８８等が記録される。これら、検索用画像データ（ビデオ）８２、８４、テープＩＤ８５、テープ位置８６、フレーム情報８７、プログラム名８８等を含めた検索データ８３が記録される。
【００５８】
この発明による磁気記録再生装置の一実施例は、このような構成により、以下のような動作をする。図６は、この発明による磁気記録再生装置の一実施例の動作を示すフローチャートである。スタートして、テープが装着されると、ステップＳ１でテープ先頭へ巻き戻し、ヘッダー領域を再生する。ステップＳ２でヘッダー領域がフォーマット済みかどうかを判断する。ステップＳ２でヘッダー領域がフォーマット済みでなければ、ステップＳ３でヘッダー領域をフォーマッティングする。ステップＳ２でヘッダー領域がフォーマット済みであれば、記録または再生コマンドを受けて、ステップＳ４で記録コマンドか再生コマンドかを判断する。
【００５９】
つまり、この例の磁気記録再生装置としてのディジタルＶＴＲにテープが装着されると、まず、図示しない駆動手段により、テープを先頭へ巻き戻して、記録再生部５により、ヘッダー領域を再生する。そして、ヘッダー領域２４がフォーマット済みでなければ、テープ先頭部分のヘッダー領域を確保すると共に、テープ識別データを記録するためにフォーマッティングを行う。このヘッダー領域の再生またはフォーマッティングの最中に、記録または再生のコマンドを入力する。
【００６０】
ステップＳ４で記録コマンドであれば、ステップＳ５で画像記録可能領域へ早送りして停止する。記録コマンドを受けて、ステップＳ６で画像記録を開始して、検索用データを抽出する。終了コマンドを受けて、ステップＳ７で画像記録を終了する。ステップＳ８でヘッダー領域へ巻き戻す。ステップＳ９で検索用データを書き込んで終了する。
【００６１】
つまり、記録のコマンドが入力された場合には、自動的に画像記録が可能な領域の先頭へ早送りして停止する。初めて記録するテープであれば、画像記録領域の先頭へ、記録済みのテープであれば、画像記録領域の未記録領域の先頭部分に行くことになる。
【００６２】
その後、入力信号を接続して記録を行う。記録が行われている間は、この検索用データ抽出器３にも画像データが入力され、画像の検索に必要な画像データを抽出して蓄積すると共に、図示しないシステムコントローラから送られるテープ位置情報を蓄積する。
【００６３】
そして、連続した記録が終了したら、図示しないシステムコントローラからテープの先頭部分のヘッダー領域に戻る命令が出され、検索用データ抽出器３に蓄積されたデータを書き込むところまで自動的に行うようにする。
【００６４】
また、記録されている画像に番組名などがあれば、記録中に入力しておき、記録終了後にヘッダー領域に書き込むようにしてもよい。また、連続した記録に引き続いて次ぎに記録を行うことが多い場合には、毎回ヘッダー領域に戻って検索用データを書き込むのは非効率的であるので、ディジタルＶＴＲの操作に間が空いたときや、テープを交換するとき等を見計らってヘッダー領域の記録を行うように設定を変更可能にしてもよい。
【００６５】
また、実際のディジタルＶＴＲの操作においては、入力ソースの切り替えやソーステープの巻き戻しや交換などが必要であり、引き続き記録を行う場合でも、ヘッダー領域に戻って検索用データを書き込む時間的余裕はある。
【００６６】
ステップＳ４で再生コマンドであれば、ステップＳ１０で検索用データを表示する。テープ位置の指定を受けて、ステップＳ１１で早送りして検索画像を表示する。ステップＳ１２で倍速再生する。再生コマンドを受けて、ステップＳ１３で通常再生をして、終了コマンドを受けて終了する。
【００６７】
つまり、再生のコマンドが入力された場合には、ディスプレイ８に代表画面や位置データなどを表示する。使用者は、ディスプレイ８に表示された検索用データの画像データを基にして画像を検索して、希望する画像のあるテープ位置を大まかに知り、そのテープ位置を指定する。
【００６８】
これによって、図示しない駆動手段によりディジタルＶＴＲのテープを早送りする。早送り中においては、ディジタルＶＴＲはテープを早く送るだけであり、再生データを基にした画像の表示は行わない。その代わりに、蓄積された検索用データの画像データを逐次表示する。
【００６９】
そして、指定されたテープ位置の近くに来たときに、通常の再生よりは２〜４倍だけ速い、ある指定されたテープ送り速度によって倍速再生を行い、できるだけ鮮明な動画像を表示する。この倍速再生は、容易にデータを復元することが可能なある固定されたテープ送り速度であればよく、通常のＶＴＲのように任意または何種類ものテープ送り速度に対して動画像を表示する必要はない。この固定速度の高速再生によって必要な画像のところまできたら、再び再生のコマンドを入力して、通常の再生に切り替える。
【００７０】
このようにして、高速ピクチャーサーチを必要とせずに、迅速かつ容易に必要な画像を頭出しして再生することができる。
【００７１】
なお、圧縮の方式などの関係で倍速再生を実現することが困難であれば、この機能は省略して、指定されたテープ位置に来たときに、通常の再生を開始するようにしてもよい。
【００７２】
また、テープ位置が指定される以前の検索操作から推定されるテープ位置近傍に、予めテープを自動的に送る機能を持つことによって、指定されたテープ位置への早送りに必要な時間を短縮するようにしてもよい。
【００７３】
ここまでの説明は、１つの入力信号を記録する一般的なタイプのＶＴＲに関しての説明のみであったが、何種類もの入力信号を並列に記録するタイプのＶＴＲの場合にも、この発明の実施例の磁気記録再生装置の構成および動作は基本的には同様に適用できる。
【００７４】
ただし、上述の検索用データ抽出器３において、各入力信号毎に検索用データを抽出して蓄積し、これを整理してからヘッダー領域２４に記録するという処理が必要になる。また、再生時には、各入力信号毎に検索用データの画像データを表示するという機能が必要になる。
【００７５】
ここまでのすべての説明は業務用のディジタルＶＴＲに限って行ってきたが、家庭用のＶＴＲにおいてはしばらくの間は従来のフォーマットのアナログＶＴＲが主流であると考えられる。この発明の基本的な部分である検索用データの記録中の抽出と連続記録終了後のテープ巻き戻しによる自動記録は、家庭用のアナログＶＴＲに対しても適用可能であり、記録画像の検索を極めて容易にするものである。
【００７６】
また、長時間録画用に用いられる据置型ＶＴＲでは、この発明の実施例はそのまま適用可能である。細切れ的な録画に用いられるビデオムービーのようなＶＴＲでは、記録中に検索用データを抽出して蓄積し、これを内部メモリの記憶容量が許す限りは巻き戻して記録することなく保持し、内部メモリが一杯になったときに、警告を出してから書き込みを行わせるようにしてもよい。内部メモリが一杯になっても検索用データの書き込みがなされない場合には、古い検索用データを間引いて行って新しい検索用データを書き込んで行くようにしてもよい。
【００７７】
次に、検索用データの抽出方法と画像検索方法について説明する。検索用データの抽出方法とその表示および画像検索方法を以下に説明するが、ここに上げる説明は一例にすぎないことはいうまでもない。
【００７８】
記録中の検索用データの抽出方法としては、検索用データ抽出器３により、３０秒程度の時間間隔で画像をサンプリングして、これを圧縮し、テープ位置情報などの付加的なデータと共に半導体メモリ９に蓄積するという方法による。
【００７９】
この場合、どのくらいの時間間隔で画像を取り込んでおけば、テープを早送りしたときの高速ピクチャーサーチの代わりとすることができるかを検討してみる。テープを早送りするときのテープ速度は、最高で再生時の１２０倍まで可能であると仮定すると、３０秒に１枚の画像を取り込んで表示することにすれば、１２０倍で早送りしたときに、１秒間に４枚の画像を順次表示することができる。これくらいの頻度で早送り中に画像が切り替われば、高速ピクチャーサーチの代用をすることができる。
【００８０】
次に、これがどのくらいのデータ量になるかを検討してみる。ＮＴＳＣ方式では、１秒間に３０枚の画像が切り替わるのであるから、これを全体の画像数と比較すれば、１／１８００にすぎず、記録再生時間が１２０分のテープを用いると仮定すれば、これは４秒分の画像に相当する。連続した画像ではないので、時間軸方向の相関を利用した圧縮は困難であるが、高画質再生が目的ではなく、高速ピクチャーサーチの代用として使うのであるから、テープ位置情報などの付加的なデータを含めて１０Ｍｂｐｓ位のデータレートまで圧縮しても問題はない。これが４秒間で合計４０Ｍｂｉｔ、従って５Ｍｂｙｔｅ以上の半導体メモリを内部に持っていればデータを蓄積することができる。
【００８１】
図７は、この発明による磁気記録再生装置の一実施例の検索用データの表示画面を示す図である。図７において、検索用データのディスプレイ１７０は、検索ウインドウ１７１、代表画面ウインドウ１７２、操作ウインドウ１７３の３つに分けられている。検索ウインドウ１７１には、時間軸情報（ＴＩＭＥ  ＳＣＡＬＥ）１７４、ビデオインデックス（ＶＩＤＥＯ  ＩＮＤＥＸ）１７５、表示位置（ＶＩＥＷ）１７６、テープ位置（ＴＡＰＥ）１７７の４種類の情報が表示されている。
【００８２】
ビデオインデックス（ＶＩＤＥＯ  ＩＮＤＥＸ）１７５は、テープ全体に記録されている画像の概略を把握するためのものであり、図１に示した検索用データ抽出器３により検索用に取り込まれた画像を縦方向に細かく切断し、１枚の画像に付き１本のスリットを選択して、時間軸に沿って表示したものである。これは、この発明の出願人が独自に開発したいわゆるビデオブラウザー（ＶＩＤＥＯ
ＢＲＯＷＳＥＲ）によって生成される。ビデオブラウザー（ＶＩＤＥＯ  ＢＲＯＷＳＥＲ）は、時間軸方向にテープに記録された画像のうちのサンプル画像を短冊状に並べたものである。
【００８３】
代表画面ウインドウ１７２では、検索ウインドウ１７１の中で表示位置１７６を示す矢印で指定されている部分の画像が縮小していくつか表示されている。これによって、ビデオインデックス１７５ではわかりにくい画像情報を補うためのものである。この小さな画面の内のどれかを選択してから、検索ウインドウ１７１の表示範囲や磁気記録再生装置の操作を行う。
【００８４】
操作ウインドウ１７３は、検索用データの表示および磁気記録再生装置の操作を行うためのスイッチが並んでいる部分である。代表画面ウインドウ１７２の表示方法は、「ＭＯＤＥ」で選択され、時間的にはほぼ等間隔になるように表示する「ＴＩＭＥ」や、シーンチェンジが発生した部分を適当な間隔で選択して表示する「ＳＣＥＮＥ」などが用意されている。
【００８５】
検索ウインドウ１７１の表示範囲の指定は、「ＳＣＡＬＥ」で行われ、全体の表示を行う「ＦＵＬＬ」や、選択された代表画面周辺の拡大表示を行う「ＺＯＯＭ  ＵＰ」、および現在表示されている範囲の倍の広い範囲を表示するための縮小表示を行う「ＺＯＯＭ  ＤＯＷＮ」などのコマンドが用意される。
【００８６】
これらのコマンドが選択された場合には、検索ウインドウ１７１の表示範囲が変わると共に、代表画面ウインドウ１７２の表示も変化する。図１に示した磁気記録再生装置の記録再生部５としてのＶＴＲの操作は、「ＶＴＲ」の部分で行われ、ここには、選択されている画面が記録されているテープ位置までテープを早送りまたは巻き戻しするサーチコマンド「ＳＥＡＲＣＨ」や、現在のテープ位置からの再生を行う「ＰＬＡＹ」、記録を行う「ＲＥＣ」、およびテープ送りの停止を行う「ＳＴＯＰ」などが用意される。
【００８７】
代表画面ウインドウ１７２を選択してサーチすることを基本とするので、一般的なＶＴＲで用意されているテープの早送りを行う「ＦＦ」や巻き戻しを行う「ＲＥＷ」のコマンドは必ずしも必要はない。また、サーチ中の速度を変更する機能やスロー再生する機能は必要に応じて追加すれば良い。
【００８８】
画像の検索は以下のような手順で行う。まず、検索ウインドウ１７１と代表画面ウインドウ１７２を見て、テープ全体に記録されている画像の概略を把握する。次に、表示範囲を変更して、頭出しをしたい画面の近傍をもう少し詳しく把握する。希望画像に近い代表画面が得られたら、これを選択した後でサーチコマンドを入力する。図８は、この発明による磁気記録再生装置の一実施例のサーチ中の表示画面を示す図である。図８において、サーチ中は、検索ウインドウ１７１のテープ位置１７７が移動すると共に、代表画面ウインドウ１７２の画面は１つになり、検索用データに含まれる画像データを実際のテープ位置１７７と同期させて、できるだけ大きなサイズで表示する。
【００８９】
そして、指定したテープ位置まできたら、ＶＴＲは、自動的に再生を始める。その途中で見たい部分が出てきたら、再生コマンドを入力することで再生に切り替えることができる。
【００９０】
なお、ＶＴＲのほうでは、サーチコマンドが入力されるまでテープを送らなくてもよいが、使用者が表示範囲を限定し始めた段階で、予めテープを近傍位置まで早送りして待機するような機能を設けるようにしても良い。これによって、指定された位置までテープを早送りするのに必要な時間を短縮することができる。
【００９１】
また、図８において示すように、テープを送りたい時間的位置の情報を示す希望位置（ＳＥＬＥＣＴ）１８９を表示し、代表画面の中のいずれかが選択されたら、この表示もその時間的位置に移動させるようにしても良い。この場合、時間軸情報１７４とビデオインデックス１７５のみを参考にして、希望位置（ＳＥＬＥＣＴ）１８９の表示を直接移動させてからサーチコマンドを入力することによって、代表画面を検索する必要なく、迅速にテープの早送りをする機能を実現するようにしても良い。
【００９２】
この場合、希望位置（ＳＥＬＥＣＴ）１８９とテープ位置（ＴＡＰＥ）１７７とが一致したときには、希望位置（ＳＥＬＥＣＴ）１８９の表示は消えることが望ましい。そして、テープ位置（ＴＡＰＥ）１７７が選択された場合、またはある代表画面が選択された場合には、これが２つに分離して希望位置（ＳＥＬＥＣＴ）１８９の表示が発生するようにする。
【００９３】
また、何種類もの番組が１本のテープに記録されている場合の検索方法として、最初の表示では、代表画面ウインドウ１７２は省略され、番組だけの検索ウインドウ１７１が表示される。それぞれの番組のタイトルが既に入力されていれば、これを同時に表示する。そして、それぞれの番組の概略を把握した後に、検索したい番組が表示されている検索ウインドウ１７１を選択すると、図７に示したような画面に移行して、実際の検索を行うことができるようにしても良い。
【００９４】
このようにすることにより、画像表示を伴う高速ピクチャーサーチ機能という制約条件を取り除くことによって、最も効率の良い圧縮方式や記録フォーマットを採用することが可能になり、ディジタルＶＴＲにおけるテープ使用量を大幅に削減することが可能になる。
【００９５】
また、検索用データが記録されたヘッダー部分を再生するだけで、１本のテープに記録された画像の必要十分な画像情報が得られるので、画像検索が容易になる。またヘッダー領域２４をテープ後端部分に設けるようにしてもよい。
【００９６】
また、検索用データと画像データが必ず１本のテープの中に存在するので、テープだけを独立して取り扱うことが可能になり、管理が容易になる。
【００９７】
また、ヘッダー領域部分のみを外部記憶装置によるデータベースに蓄積しておくことによって、テープの本数が大量になった場合でも、一元的に管理し、使用することが容易になる。
【００９８】
上例によれば、テープフォーマットは、テープの先頭部分に予めヘッダー領域２４を設け、ヘッダー領域２４に少なくとも、テープを識別するためのテープ識別データとしてのテープＩＤ８５と、テープに記録した画像から抽出した画像データ８２、８４と画像データ８２、８４に対応するテープ位置情報８６を含む検索データ８３とを記録するようにしたので、テープフォーマットに基づいて、ヘッダー領域２４に画像データ８２、８４とテープ位置情報８６を記録し、検索データ８３として完成させることができる。
【００９９】
また、上例によれば、上述において、テープ識別データとしてのテープＩＤ８５は、磁気記録再生装置の製造番号および何本目のテープであるかを示す番号を記録するようにしたので、テープフォーマットに基づいて、このテープ記録に用いた磁気記録再生装置を特定することができる。
【０１００】
また、上例によれば、上述において、ヘッダー領域２４の後ろの部分を画像記録領域２７として画像データを記録するようにしたので、テープフォーマットに基づいて、ヘッダー領域２４の検索データにより画像記録領域２７の画像データを検索することができる。
【０１０１】
また、上例によれば、記録時において、テープに記録すべき画像データを所定時間間隔で抽出する画像データ抽出手段としての検索用データ抽出器３と、検索データ８３としての画像データ８２、８４と画像データ８２、８４に対応するテープ位置情報８６とを記憶する検索データ記憶手段としての半導体メモリ９とを備え、画像データ抽出手段としての検索用データ抽出器３により画像データ８２、８４を抽出し、検索データ記憶手段としての半導体メモリ９により検索データ８３としての画像データ８２、８４と画像データ８２、８４に対応するテープ位置情報８６とを記憶するようにしたので、記録時に検索に用いる画像データ８２、８４およびテープ位置情報８６を蓄積し、検索データ８３を容易に作成することができる。
【０１０２】
また、上例によれば、上述において、テープが装着されたときに、テープ先頭へ巻き戻しを行い、記録再生手段としての記録再生部５によりテープの先頭部分に設けられたヘッダー領域２４を再生し、ヘッダー領域２４に記録された検索データ８３を検索データ記憶手段に記憶するようにしたので、予め設けられたヘッダー領域２４の記録済み部分の検索データ８３に対してさらに未記録部分の検索データ８３を蓄積して追加することができる。
【０１０３】
また、上述において、テープが装着されたときに、ヘッダー領域２４がテープフォーマットによるフォーマッティングがされていないときに、テープ先頭へ巻き戻しを行い、ヘッダー領域２４を確保すると共に、記録再生手段５によりテープ識別データを記録するためのテープのフォーマッティングを行うようにしてもよい。
【０１０４】
また、上述において、フォーマット済みであったか、またはフォーマッティングが終了したら、初めて記録するテープであれば画像記録領域２７の先頭へ、記録済みのテープであれば画像記録領域２７の未記録領域２６の先頭部分へ、自動的にテープを送ってからテープを停止してもよい。
【０１０５】
また、上例によれば、上述において、連続記録が終了したときに、テープ先頭へ巻き戻しを行い、検索データ記憶手段としての半導体メモリ９に記憶された検索データをヘッダー領域２４に記録するようにしたので、毎回記録毎にヘッダー領域２４に戻って検索データ８３を書き込むことなく、磁気記録再生装置の操作に間が空いたときに効率よくヘッダー領域２４の記録を行うことができる。
【０１０６】
また、上述において、何種類もの信号が入力されてこれを並列に記録する場合には、各入力信号毎に検索用データを抽出して蓄積し、これを整理してからヘッダー領域２４に記録するようにしてもよい。
【０１０７】
また、上例によれば、再生時において、テープの先頭部分に設けられたヘッダー領域２４に記録された検索データとしての画像データとテープの位置情報１７７の表示を行う表示手段としてのディスプレイ１７０と、表示手段としてのディスプレイ１７０に表示された画像データを基にしてテープの再生希望位置を指定する指定手段１８９とを備え、表示手段としてのディスプレイ１７０のテープの位置情報１７７が再生希望位置の近くを表示したときに、検索データとしての画像データを倍速再生し、動画像として表示手段としてのディスプレイ１７０に表示するようにしたので、鮮明な動画像により、容易に画像データを復元することができ、高速ピクチャーサーチを必要とせず、迅速かつ容易に必要な画像を頭出しして再生することができる。
【０１０８】
また、上例において、指定された再生希望位置にテープが来たならば、通常の再生を行うようにしてもよい。
【０１０９】
また、上述において、何種類もの信号が入力されてこれを並列に記録されていた場合には、検索用データを整理して表示し、それぞれ独立に画像の検索が可能であるようにしてもよい。
【０１１０】
また、上例によれば、上述において、検索データとしての画像データと画像データに対応するテープ位置情報とを記憶する検索データ記憶手段としての半導体メモリ９を備え、テープが装着されたときに、テープ先頭へ巻き戻しを行い、記録再生手段としての記録再生部５によりテープの先頭部分に設けられたヘッダー領域２４を再生し、ヘッダー領域２４に記録された検索データを検索データ記憶手段に記憶し、検索データ記憶手段としての半導体メモリ９に記憶された検索データを表示手段としてのディスプレイ１７０に表示するようにしたので、表示手段としてのディスプレイ１７０に表示された検索データに含まれる画像データを基にして画像の検索を行うことで、部分的に再生された信号を基にした高速ピクチャーサーチを行うことなく、求める画像の頭出しを行うことができる。
【０１１１】
また、上例によれば、上述において、表示手段としてのディスプレイ１７０のテープの位置情報１７７が再生希望位置から離れた位置を表示したときに、テープを早送りし、検索用データとしての画像データを表示手段としてのディスプレイ１７０に逐次表示するようにしたので、表示手段としてのディスプレイ１７０に表示された検索データに含まれる画像データを基にして、再生希望位置に近づくように、画像の検索を行うことで、部分的に再生された信号を基にした高速ピクチャーサーチを行うことなく、求める画像の頭出しを行うことができる。
【０１１２】
また、上例において、テープ位置が指定される以前の検索操作から推定されるテープ位置近傍に、予めテープを自動的に送る機能を持つことによって、指定されたテープ位置への早送りに必要な時間を短縮するようにしてもよい。
【０１１３】
【発明の効果】
【０１１９】
また、この発明によれば、再生時において、テープの先頭部分に設けられたヘッダー領域に記録された検索データとしての画像データとテープの位置情報の表示を行う表示手段と、表示手段に表示された画像データを基にしてテープの再生希望位置を指定する指定手段とを備え、表示手段のテープの位置情報が再生希望位置の近くを表示したときに、検索データとしての画像データを倍速再生し、動画像として表示手段に表示するようにしたので、鮮明な動画像により、容易に画像データを復元することができ、高速ピクチャーサーチを必要とせず、迅速かつ容易に必要な画像を頭出しして再生することができる。
【０１２０】
また、この発明によれば、上述において、検索データとしての画像データと画像データに対応するテープ位置情報とを記憶する検索データ記憶手段を備え、テープが装着されたときに、テープ先頭へ巻き戻しを行い、記録再生手段によりテープの先頭部分に設けられたヘッダー領域を再生し、ヘッダー領域に記録された検索データを検索データ記憶手段に記憶し、検索データ記憶手段に記憶された検索データを表示手段に表示するようにしたので、表示手段に表示された検索データに含まれる画像データを基にして画像の検索を行うことで、部分的に再生された信号を基にした高速ピクチャーサーチを行うことなく、求める画像の頭出しを行うことができる。
【０１２１】
また、この発明によれば、上述において、表示手段のテープの位置情報が再生希望位置から離れた位置を表示したときに、テープを早送りし、検索用データとしての画像データを表示手段に逐次表示するようにしたので、表示手段に表示された検索データに含まれる画像データを基にして、再生希望位置に近づくように、画像の検索を行うことで、部分的に再生された信号を基にした高速ピクチャーサーチを行うことなく、求める画像の頭出しを行うことができる。
【図面の簡単な説明】
【図１】この発明の磁気記録再生装置の一実施例の構成を示すブロック図である。
【図２】この発明による磁気記録再生装置の一実施例のテープフォーマットを示す図である。
【図３】この発明の磁気記録再生装置の一実施例の記録系の詳細な構成を示すブロック図である。
【図４】この発明の磁気記録再生装置の一実施例の再生系の詳細な構成を示すブロック図である。
【図５】この発明の磁気記録再生装置の一実施例のヘリカルトラックを示す図である。
【図６】この発明の磁気記録再生装置の一実施例の動作を示すフローチャートである。
【図７】この発明の磁気記録再生装置の一実施例の検索用データの表示画面を示す図である。
【図８】この発明の磁気記録再生装置の一実施例のサーチ中の表示画面を示す図である。
【図９】従来の磁気記録再生装置の構成を示すブロック図である。
【図１０】従来のワークステーションによる画像記録装置の構成を示すブロック図である。
【符号の説明】
１  Ａ／Ｄ変換器
２  記録符号化器
３  検索用データ抽出器
４  スイッチ
５  記録再生部
６  再生復号器
７  Ｄ／Ａ変換器
８  ディスプレイ
９  半導体メモリ
２０  テープ先頭部分
２１  テープ識別データ領域
２２  検索用データ記録領域（記録済み）
２３  検索用データ記録領域（未記録）
２４  ヘッダー領域
２５  画像記録領域（記録済み）
２６  画像記録領域（未記録）
２７  画像記録領域
２８  テープ後端部分
８２  検索用画像データ（ビデオ）
８４  検索用画像データ（ビデオ）
８３  検索データ
８５  テープＩＤ
８６  テープ位置
８７  フレーム情報
８８  プログラム名
１７０  ディスプレイ
１７７  テープ位置
１８９  希望位置
【図１】
0003598540.tif 000002
【図２】
0003598540.tif 000003
【図３】
0003598540.tif 000004
【図４】
0003598540.tif 000005
【図５】
0003598540.tif 000006
【図６】
0003598540.tif 000007
【図７】
0003598540.tif 000008
【図８】
0003598540.tif 000009
【図９】
0003598540.tif 000010
【図１０】
0003598540.tif 000011